【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
電子写真方式における画像担持体上に形成されるトナー像を転写後に残留する残留トナーを回収する回収トナーを再使用して画像を形成する画像形成装置において、
形成画像を担持する画像担持体と、上記画像担持体上に形成された静電潜像を顕像化してトナー像を形成する現像手段と、上記現像手段で形成されたトナー像を被転写体に転写する転写手段と、上記転写手段による転写後の上記画像担持体又は上記転写手段に残留する残留トナーを回収するクリーニング手段と、上記クリーニング手段で回収された回収トナーを上記現像手段側の横方向に搬送する回収トナー搬送手段と、上記回収トナー搬送手段が搬送する回収トナーを再使用する再使用トナーとして搬送する再使用トナー搬送経路を廃棄する廃棄トナーとして搬送する廃棄トナー搬送経路に切替える再使用トナー搬送経路切替手段とからなり回収トナーを再使用して画像を形成する画像形成装置であって、
上記再使用トナー搬送経路切替手段は、再使用トナーを排出する再使用トナー排出口と廃棄トナーを排出する廃棄トナー排出口とを設けた中空管形状のパイプ部材からなり、
上記パイプ部材の回収トナー搬送方向下流側端部断面に囲まれた開口部を、上記再使用トナー排出口又は上記廃棄トナー排出口の少なくとも一方として構成したことを特徴とする画像形成装置。
【請求項２】
請求項１に記載の画像形成装置において、
上記パイプ部材の下方には、上記再使用トナーを回収する第１の回収部と上記廃棄トナーを回収する第２の回収部とが回収トナー搬送方向に並んで設けられており、
上記再使用トナー搬送経路切替手段は、上記開口部を上記回収トナー搬送方向に移動させることによって、上記開口部を上記再使用トナー排出口及び上記廃棄トナー排出口に選択的に切替えることを特徴とする画像形成装置。
【請求項３】
請求項１又は２に記載の画像形成装置において、
再使用トナー搬送経路切替手段は、上記パイプ部材のパイプとパイプとが嵌合する摺動部を摺動して、上記再使用トナー排出口又は上記廃棄トナー排出口を選択して切替える摺動切替え手段からなることを特徴とする画像形成装置。
【手続補正２】
【補正対象書類名】明細書
【補正対象項目名】０００４
【補正方法】変更
【補正の内容】
【０００４】
上記目的を達成するために、請求項１の本発明は、電子写真方式における画像担持体上に形成されるトナー像を転写後に残留する残留トナーを回収する回収トナーを再使用して画像を形成する画像形成装置において、形成画像を担持する画像担持体と、上記画像担持体上に形成された静電潜像を顕像化してトナー像を形成する現像手段と、上記現像手段で形成されたトナー像を被転写体に転写する転写手段と、上記転写手段による転写後の上記画像担持体又は上記転写手段に残留する残留トナーを回収するクリーニング手段と、上記クリーニング手段で回収された回収トナーを上記現像手段側の横方向に搬送する回収トナー搬送手段と、上記回収トナー搬送手段が搬送する回収トナーを再使用する再使用トナーとして搬送する再使用トナー搬送経路を廃棄する廃棄トナーとして搬送する廃棄トナー搬送経路に切替える再使用トナー搬送経路切替手段とからなり回収トナーを再使用して画像を形成する画像形成装置であって、上記再使用トナー搬送経路切替手段は、再使用トナーを排出する再使用トナー排出口と廃棄トナーを排出する廃棄トナー排出口とを設けた中空管形状のパイプ部材からなり、上記パイプ部材の回収トナー搬送方向下流側端部断面に囲まれた開口部を、上記再使用トナー排出口又は上記廃棄トナー排出口の少なくとも一方として構成した画像形成装置であることを最も主要な特徴とする。
請求項２の本発明は、請求項１に記載の画像形成装置において、上記パイプ部材の下方には、上記再使用トナーを回収する第１の回収部と上記廃棄トナーを回収する第２の回収部とが回収トナー搬送方向に並んで設けられており、上記再使用トナー搬送経路切替手段は、上記開口部を上記回収トナー搬送方向に移動させることによって、上記開口部を上記再使用トナー排出口及び上記廃棄トナー排出口に選択的に切替える画像形成装置であることを主要な特徴とする。
請求項３の本発明は、請求項１又は２に記載の画像形成装置において、再使用トナー搬送経路切替手段は、上記パイプ部材のパイプとパイプとが嵌合する摺動部を摺動して、上記再使用トナー排出口又は上記廃棄トナー排出口を選択して切替える摺動切替え手段からなる画像形成装置であることを主要な特徴とする。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
上記のように構成された画像形成装置は、請求項１においては、画像担持体上に形成された静電潜像を顕像化してトナー像を形成する現像手段で形成されたトナー像を被転写体に転写する転写手段による転写後の画像担持体又は転写手段に残留する残留トナーを回収するクリーニング手段で回収された回収トナーを現像手段側の横方向に搬送する回収トナー搬送手段が搬送する回収トナーを、中空管形状のパイプ部材とパイプ部材の回収トナーの搬送方向の上流側又は下流側に設けた再使用トナーを排出する再使用トナー排出口と廃棄トナーを排出する廃棄トナー排出口とからなる再使用トナー搬送経路切替手段によって、再使用する再使用トナーとして搬送する再使用トナー搬送経路を廃棄する廃棄トナーとして搬送する廃棄トナー搬送経路に切替えると共に中空管形状のパイプ部材の回収トナー搬送方向下流側端部断面に囲まれた開口部を上記再使用トナー排出口又は上記廃棄トナー排出口に兼用して、回収トナーを再使用して画像を形成するようにして、通常は、電子写真方式における画像担持体上に形成されるトナー像を転写後に残留する残留トナーを回収する回収トナーを再使用して画像の形成が行われるが、簡単な構成の切替える装置で、回収トナーの再使用を中止して、使用する被転写体の紙粉等が多くても高品質の画像の形成が行われる、トナーの消費量も少なく低コストの画像形成装置を提供することが出来るようにする。
請求項２においては、画像担持体上に形成された静電潜像を顕像化してトナー像を形成する現像手段で形成されたトナー像を被転写体に転写する転写手段による転写後の画像担持体又は転写手段に残留する残留トナーを回収するクリーニング手段で回収された回収トナーを現像手段側の横方向に搬送する回収トナー搬送手段が搬送する回収トナーを、上記開口部を上記回収トナー搬送方向に移動させることによって上記開口部を上記再使用トナー排出口及び上記廃棄トナー排出口に選択的に切替える再使用トナー搬送経路切替手段によって、再使用する再使用トナーとして搬送する再使用トナー搬送経路を廃棄する廃棄トナーとして搬送する廃棄トナー搬送経路に切替えて、上記パイプ部材の下方に上記搬送方向に並んで設けられた、上記再使用トナーを回収する第１の回収部と上記廃棄トナーとを回収する第２の回収部とに別々に回収することにより、回収トナーを再使用して画像を形成するようにして、通常は、電子写真方式における画像担持体上に形成されるトナー像を転写後に残留する残留トナーを回収する回収トナーを再使用して画像の形成が行われるが、簡単な構成の切替えで、回収トナーの再使用を中止して、使用する被転写体の紙粉等が多くても高品質の画像の形成が行われる、トナーの消費量も少なく低コストの画像形成装置を提供することが出来るようにする。
【手続補正５】
【補正対象書類名】明細書
【補正対象項目名】０００７
【補正方法】変更
【補正の内容】
【０００７】
請求項３においては、画像担持体上に形成された静電潜像を顕像化してトナー像を形成する現像手段で形成されたトナー像を被転写体に転写する転写手段による転写後の画像担持体又は転写手段に残留する残留トナーを回収するクリーニング手段で回収された回収トナーを現像手段側の横方向に搬送する回収トナー搬送手段が搬送する回収トナーを、パイプ部材のパイプとパイプとが嵌合する摺動部を摺動して回収トナーを再使用トナーとして排出する再使用トナー排出口又は廃棄トナーとして排出する廃棄トナー排出口を選択して切替える摺動切替え手段からなる再使用トナー搬送経路切替手段によって、再使用する再使用トナーとして搬送する再使用トナー搬送経路を廃棄する廃棄トナーとして搬送する廃棄トナー搬送経路に切替えて、回収トナーを再使用して画像を形成するようにして、通常は、電子写真方式における画像担持体上に形成されるトナー像を転写後に残留する残留トナーを回収する回収トナーを再使用して画像の形成が行われるが、簡単な構成の摺動だけの切替えで、回収トナーの再使用を中止して、使用する被転写体の紙粉等が多くても高品質の画像の形成が行われる、トナーの消費量も少なく低コストの画像形成装置を提供することが出来るようにする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
本発明は、以上説明したように構成されているので、請求項１の発明によれば、画像担持体上に形成された静電潜像を顕像化してトナー像を形成する現像手段で形成されたトナー像を被転写体に転写する転写手段による転写後の画像担持体又は転写手段に残留する残留トナーを回収するクリーニング手段で回収された回収トナーを現像手段側の横方向に搬送する回収トナー搬送手段が搬送する回収トナーを、中空管形状のパイプ部材とパイプ部材の回収トナーの搬送方向の上流側又は下流側に設けた再使用トナーを排出する再使用トナー排出口と廃棄トナーを排出する廃棄トナー排出口とからなる再使用トナー搬送経路切替手段によって、再使用する再使用トナーとして搬送する再使用トナー搬送経路を廃棄する廃棄トナーとして搬送する廃棄トナー搬送経路に切替えると共に中空管形状のパイプ部材の回収トナー搬送方向下流側端部断面に囲まれた開口部を上記再使用トナー排出口又は上記廃棄トナー排出口に兼用して、回収トナーを再使用して画像を形成するようにしたので、通常は、電子写真方式における画像担持体上に形成されるトナー像を転写後に残留する残留トナーを回収する回収トナーを再使用して画像の形成が行われるが、簡単な構成の切替える装置で、回収トナーの再使用を中止して、使用する被転写体の紙粉等が多くても高品質の画像の形成が行われる、トナーの消費量も少なく低コストの画像形成装置を提供することが出来るようになった。
請求項２の発明によれば、画像担持体上に形成された静電潜像を顕像化してトナー像を形成する現像手段で形成されたトナー像を被転写体に転写する転写手段による転写後の画像担持体又は転写手段に残留する残留トナーを回収するクリーニング手段で回収された回収トナーを現像手段側の横方向に搬送する回収トナー搬送手段が搬送する回収トナーを、上記開口部を上記回収トナー搬送方向に移動させることによって上記開口部を上記再使用トナー排出口及び上記廃棄トナー排出口に選択的に切替える再使用トナー搬送経路切替手段によって、再使用する再使用トナーとして搬送する再使用トナー搬送経路を廃棄する廃棄トナーとして搬送する廃棄トナー搬送経路に切替えて、上記パイプ部材の下方に上記搬送方向に並んで設けられた、上記再使用トナーを回収する第１の回収部と上記廃棄トナーとを回収する第２の回収部とに別々に回収することにより、回収トナーを再使用して画像を形成するようにしたので、通常は、電子写真方式における画像担持体上に形成されるトナー像を転写後に残留する残留トナーを回収する回収トナーを再使用して画像の形成が行われるが、簡単な構成の切替えで、回収トナーの再使用を中止して、使用する被転写体の紙粉等が多くても高品質の画像の形成が行われる、トナーの消費量も少なく低コストの画像形成装置を提供することが出来るようになった。
【手続補正１１】
【補正対象書類名】明細書
【補正対象項目名】００１３
【補正方法】変更
【補正の内容】
【００１３】
請求項３の発明によれば、画像担持体上に形成された静電潜像を顕像化してトナー像を形成する現像手段で形成されたトナー像を被転写体に転写する転写手段による転写後の画像担持体又は転写手段に残留する残留トナーを回収するクリーニング手段で回収された回収トナーを現像手段側の横方向に搬送する回収トナー搬送手段が搬送する回収トナーを、パイプ部材のパイプとパイプとが嵌合する摺動部を摺動して回収トナーを再使用トナーとして排出する再使用トナー排出口又は廃棄トナーとして排出する廃棄トナー排出口を選択して切替える摺動切替え手段からなる再使用トナー搬送経路切替手段によって、再使用する再使用トナーとして搬送する再使用トナー搬送経路を廃棄する廃棄トナーとして搬送する廃棄トナー搬送経路に切替えて、回収トナーを再使用して画像を形成するようにしたので、通常は、電子写真方式における画像担持体上に形成されるトナー像を転写後に残留する残留トナーを回収する回収トナーを再使用して画像の形成が行われるが、簡単な構成の摺動だけの切替えで、回収トナーの再使用を中止して、使用する被転写体の紙粉等が多くても高品質の画像の形成が行われる、トナーの消費量も少なく低コストの画像形成装置を提供することが出来るようになった。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００２５
【補正方法】変更
【補正の内容】
【００２５】
【図１】本発明の実施の形態例を示す画像形成装置の概略を説明する説明図である。
【図２】本発明の実施の形態例を示す画像形成装置の主用部の状態を説明する拡大した説明図である。
【図３】本発明の実施の形態例を示す画像形成装置の主用部の他の状態を説明する拡大した説明図である。
【図４】画像形成装置の他の主用部を説明する拡大した説明図である。
【図５】画像形成装置の他の主用部を説明する拡大した斜視図である。
【図６】本発明の実施の形態例を示す画像形成装置の主用部の状態を説明する拡大した説明図である。